(57)【要約】【課題】照明状態を調光する際の電圧の位相制御時に発生する騒音を低減できる照明器具を提供することである。【解決手段】光源を装着するソケット１４は器具本体内に収納され、可動台１７はソケット１４を搭載し摺動軸１８により器具本体内を前後に摺動する。ソケット１４と可動台１７との取付面に緩衝材２０を挟み込み、位置決め部材２２により、ソケット１４と可動台１７とを連結する取付ネジ２１がソケット１４に直接的に当接しないようにするとともに緩衝材２０の厚み幅を保持する。また、筒状緩衝材２３は器具本体の前面板１２及び後面板１３の軸受孔に設けられ、摺動軸１８を貫通して保持する。これにより、光源の振動が器具本体に及ぶのを抑制する。【選択図】  図１
2007179895.tif 000002
【特許請求の範囲】
【請求項１】
器具本体内に収納され光源を装着するソケットと；
ソケットが取付ネジにより取り付けられる取付面を有し、前記器具本体内を可動する可動台と；
前記ソケットと前記可動台の取付面との間に挟み込まれた緩衝材と；
前記ソケットと前記可動台とを連結する取付ネジが前記ソケットに当接しないようにするとともに前記緩衝材の厚み幅を保持する樹脂製の位置決め部材と；
を備えたこと特徴とする照明器具。
【請求項２】
前記位置決め部材は、前記取付ネジを貫通させる貫通孔を有する筒状部と、前記筒状部に設けられ取付ネジの頭部を支持するフランジ部とを備えたことを特徴とする請求項１記載の照明器具。
【請求項３】
前記器具本体の前面板及び後面板の軸受孔に設けられ、前記摺動軸を貫通して保持する筒状緩衝材を備えたことを特徴とする請求項１または２記載の照明器具。
【発明の詳細な説明】
【技術分野】
【０００１】
本発明は、舞台やスタジオ等の照明に使用される照明器具に関する。
【背景技術】
【０００２】
舞台やスタジオ等の照明に使用される照明器具は、器具本体の内部に光源である電球を収納し、電球の前方にレンズを取り付けて光源からの光を出射するようにしている。レンズの前面には保護網や差し枠受等が取り付けられると共に、器具本体の後側または上側には電球交換のための開閉蓋が取付けられ、さらに器具本体の外側には光の出射方向を任意角度に保持するためのアームやハンガーが取付けられるなどして構成されている。
【０００３】
このような照明器具では、照明状態を調光する際に、調光のための電源電圧の位相角制御の影響で光源へ入力される電圧波形が歪み、電圧中に高周波成分が発生する。そして、この高周波成分を含んだ電球からの発生する音と照明器具とが共鳴することがある。また、位相角制御電圧の立ち上がり時に発生する電球への衝撃エネルギーが照明器具に共振することによって騒音が発生することがある。この騒音は調光時騒音と通称されている。
【０００４】
調光時騒音を低減させるものとして、ランプを収容する筒体状のランプホルダーの背面側に連結されるランプハウスの後部に、器具の軸心方向から上方向に変位した位置においてランプ角度調整用開口を形成したものがある（例えば、特許文献１参照）。
【特許文献１】実開平７−２２４０１号公報
【発明の開示】
【発明が解決しようとする課題】
【０００５】
ところが、特許文献１のものでは調光時騒音を、舞台上や客席方向ではなく、比較的に大空間をもつ天井方向に向けて放出し、舞台上及び客席への騒音を低く抑えたものである。従って、調光時騒音自体を低減させるものではないので、調光時騒音は舞台やスタジオ等の内部にこもることになる。
【０００６】
本発明の目的は、照明状態を調光する際の電圧の位相制御時に発生する騒音を低減できる照明器具を提供することである。
【課題を解決するための手段】
【０００７】
請求項１の発明に係わる照明器具は、器具本体内に収納され光源を装着するソケットと；ソケットが取付ネジにより取り付けられる取付面を有し、前記器具本体内を可動する可動台と；前記ソケットと前記可動台の取付面との間に挟み込まれた緩衝材と；前記ソケットと前記可動台とを連結する取付ネジが前記ソケットに当接しないようにするとともに前記緩衝材の厚み幅を保持する樹脂製の位置決め部材と；を備えたこと特徴とする。
【０００８】
本発明において、特に指定しない限り用語の定義及び技術的意味は以下による。光源は例えばランプであり、光源はソケットに装着される。ソケットは可動台に取り付けられ、可動台は器具本体内を可動する。可動台は、可動機構により器具本体内を移動する。移動方向は前後左右を問わない。
【０００９】
ソケットと可動台との取付面に挟み込まれた緩衝材は、弾力性を有した材質で形成される。例えば、シリコンゲル、シリコンゴムシート、フッ素ゴムシート、シリコンゴム発泡体、フッ素ゴム発泡体等である。
【００１０】
位置決め部材は緩衝材よりも固い樹脂材質で形成され、取付ネジを貫通させてソケットと可動台とを取り付ける。その際に、位置決め部材により取付ネジがソケットに当接しないようにするとともに緩衝材の厚み幅を保持する。
【００１１】
請求項２の発明に係わる照明器具は、請求項１の発明において、前記位置決め部材は、前記取付ネジを貫通させる貫通孔を有し前記取付ネジがソケットに当接しないようにする筒状部と、前記筒状部に設けられ取付ネジの頭部を支持するフランジ部とを備えたことを特徴とする。
【００１２】
位置決め部材は緩衝材よりも固い樹脂材質で例えば筒状に形成され、その筒状部の貫通孔に取付ネジを貫通させてソケットと可動台とを取り付ける。その際に、取付ネジがソケットに当接しないようにフランジ部を設け、取付ネジの頭部をこのフランジ部で支持する。また、位置決め部材の筒状部の長さで緩衝材の厚み幅を保持する。
【００１３】
請求項３の発明に係わる照明器具は、請求項１または２の発明において、前記器具本体の前面板及び後面板の軸受孔に設けられ、前記摺動軸を貫通して保持する筒状緩衝材を備えたことを特徴とする。
【００１４】
筒状緩衝材は固い材質、例えばテフロン（登録商標）等の耐熱樹脂で筒状に形成される。そして、摺動軸を保持する器具本体の前面板及び後面板の軸受孔に挿入され、摺動軸を貫通して保持する。
【発明の効果】
【００１５】
請求項１の発明によれば、位置決め部材で緩衝材の厚み幅を保持していることにより、騒音の発生源である光源の振動が緩衝材によって吸収されるので、その振動を器具本体に伝えなくし、照明状態を調光する際の電圧の位相制御時に発生する騒音が低減される。さらに、複数の取付ネジのネジ締め距離が位置決め部材で制限されるので、緩衝材を介しても各取付ネジの締め込み距離が所定長となる。このため光源の中心と光学系との中心とがずれることがなく所定の特性を維持できる。
【００１６】
請求項２の発明によれば、位置決め部材が樹脂製であって、かつフランジ部を形成する形態であるため、取付ネジの頭部とソケットとの間で緩衝効果を得ることができる。よって振動の伝達が軽減される。
【００１７】
請求項３の発明によれば、前面板及び後面板の軸受孔に筒状緩衝材を挿入して、この筒状緩衝材により、摺動軸の振動が前面板や後面板に伝達することを抑制するので、光源の振動が器具本体に伝達することを大幅に抑制できる。
【発明を実施するための最良の形態】
【００１８】
図１は本発明の実施の形態に係わる照明器具の側面図、図２はその平面図である。照明器具の器具本体は、側面板１１、前面板１２、後面板１３で箱体に形成され、その器具本体内には、光源を装着するためのソケット１４及び光源からの光を反射するリフレクター１５が収納されている。図１及び図２ではソケット１４に光源が装着されていない場合を示している。側面板１１は金属製であり、前面板１２及び後面板１３はともに樹脂製である。器具本体内の前面板１２側にはレンズ１６が設けられ、レンズ１６は光源からの直接光及びリフレクター１５での反射光を集光して出射する。
【００１９】
ソケット１４は可動台１７に搭載され、可動台１７には摺動軸１８が取り付けられている。摺動軸１８の端部には摺動ハンドル１９が取り付けられ、摺動ハンドル１９の回転により摺動軸１８が回転し、可動台１７に直線方向の駆動力を与える。これにより、可動台１７が器具本体内を前後に摺動する。
【００２０】
ソケット１４と可動台１７との取付面Ｘには緩衝材２０が挟み込まれ、取付ネジ２１で固定されている。取付ネジ２１は、後述するように取付ネジ２１がソケット１４に直接的に当接しないように、位置決め部材２２を介して取り付けられる。そして、緩衝材２０によりソケット１４の振動が可動台１７に伝搬するのを抑制する。また、摺動軸１８を保持する器具本体の前面板１２及び後面板１３の軸受孔には、摺動軸１８を貫通して保持する筒状緩衝材２３が設けられている。
【００２１】
図３は、光源２４を搭載した状態でのソケット１４及び可動台１７の側面図である。ソケット１４の上部に光源２４が装着される。そして、ソケット１４の下部において、ソケット１４と可動台１７との取付面Ｘに緩衝材２０を挟み込んで、位置決め部材２２を介して取付ネジ２１でネジ止めされている。
【００２２】
図４はソケット１４と可動台１７との取付部分の分解図、図５はソケット１４が位置決め部材２２を介して取付ネジで可動台１７に取り付けられた状態を示す一部切欠側面図である。ソケット１４には位置決め部材２２の筒状部２２ａを通す貫通孔２５が設けられ、緩衝材２０にも位置決め部材２２の筒状部２２ａを通す貫通孔２６が設けられている。また、可動台１７には取付ネジ２１の雄ネジ部２１ａと螺合する雌ネジ部２７が設けられている。緩衝材は弾力性のある材質で形成されている。
【００２３】
位置決め部材２２は固い樹脂製で筒状に形成され、その筒状部２２ａの上部には取付ネジ２１の頭部フランジ部２１ｂを支持するためのフランジ部２２ｂが形成され、筒状部２２ａの貫通孔２２ｃに取付ネジ２１の雄ネジ部２１ａが通される。位置決め部材２２は、取付ネジ２１がソケット１４に当接しないようにするとともに緩衝材２０の厚み幅Ｄ１を保持するものである。すなわち、緩衝材２０の厚み幅Ｄ１とソケット１４の取付部の厚さＤ３との合計を取付ネジ２１の筒状部２２ａの長さＤ２とする。これにより、位置決め部材２２は固い材質で形成さていることから、緩衝材２０の厚み幅Ｄ１を保持する。このように、位置決め部材２２は樹脂製であって、かつフランジ部２２ｂを形成する形態であるため、取付ネジ２１の頭部とソケット１４との間で緩衝効果を得ることができ、振動の伝達が軽減される。
【００２４】
緩衝材２０は弾力性を有し厚み幅Ｄ１が保持されることから、ソケット１４が振動した場合に緩衝材２０でその振動を吸収し、可動台１７に伝搬する振動を抑制できる。従って、光源２４を調光制御による位相制御により振動しソケット１４が振動したとしても緩衝材２０でその振動を吸収できる。
【００２５】
図６は器具本体の前面板１２及び後面板１３の摺動軸１８の取付部分の分解図、図７は器具本体の後面板１３に摺動軸１８を取り付けた状態を示す一部切欠側面図である。
【００２６】
器具本体の前面板１２及び後面板１３には、摺動軸１８を保持するための軸受孔２８、２９が設けられている。この軸受孔２８、２９に筒状緩衝材２３の筒状部２３ａが挿入され、筒状緩衝材２３のフランジ部２３ｂにより前面板１２及び後面板１３と係止する。筒状緩衝材２３は固い材質、例えばテフロン（登録商標）等の耐熱樹脂で筒状に形成される。筒状緩衝材２３の筒状部２３ａには摺動軸１８が貫通し、摺動軸１８を保持するとともに摺動軸１８の回転時にベアリングの役目もする。
【００２７】
本発明の実施の形態によれば、ソケット１４と可動台１７との間に緩衝材２０を挟み、ソケット１４と可動台１７とを取り付ける際は、位置決め部材２２によりソケット１４が可動台１７に直接的に当接しないようにするので、光源２４の振動によりソケット１４が振動した場合に緩衝材２０でその振動を吸収し、可動台１７及び摺動軸１８に伝搬する振動を抑制できる。
【００２８】
さらに、複数の取付ネジのネジ締め距離が位置決め部材で制限されるので、緩衝材を介しても各取付ネジの締め込み距離が所定長となる。このため光源の中心と光学系との中心とがずれることがなく所定の特性を維持できる。
【００２９】
また、前面板１２及び後面板１３の軸受孔２８、２９に筒状緩衝材２３を挿入して、この筒状緩衝材２３により、摺動軸１８の振動が前面板１２や後面板１３に伝達することを抑制するので、光源２４の振動が器具本体に伝達することを大幅に抑制できる。
【００３０】
樹脂製の前面板１２及び後面板１３は筒状緩衝材２３が配設されなければ、直ちに摺動軸を保持し、ベアリングの役目も果たさなければならないため比較的強度を高くする必要があるが、前面板１２及び後面板１３の強度が高いと前面板１２及び後面板１３の振動が金属製の側面板１１に伝わり易くなる。そこで、本発明の実施の形態では、筒状緩衝材２３にて摺動軸を保持し振動の伝達を防止するようにしているとともに、摺動軸のベアリングも兼ねるものである。従って、摺動軸の振動が前面板及び後面板に伝わり難くなるとともに、前面板及び後面板でも振動を吸収するので、金属製の側面板１１へ振動が伝わり難くなる。
【００３１】
例えば、１台の照明器具につき、光源２４の位相制御時に発生する騒音が最大で３．５ｄＢ（Ａ）低減できた。すなわち、暗騒音１７ｄＢ（Ａ）において、１台の照明器具につき、光源２４の位相制御時の騒音が最大で２５．５ｄＢ（Ａ）であったものが、２２ｄＢ（Ａ）に低減することが可能となった。
【図面の簡単な説明】
【００３２】
【図１】本発明の実施の形態に係わる照明器具の側面図。
【図２】本発明の実施の形態に係わる照明器具の平面図。
【図３】本発明の実施の形態に係わる照明器具で光源を搭載した状態でのソケット及び可動台の側面図。
【図４】本発明の実施の形態におけるソケットと可動台との取付部分の分解図。
【図５】本発明の実施の形態におけるソケットが位置決め部材を介して取付ネジで可動台に取り付けられた状態を示す一部切欠側面図。
【図６】本発明の実施の形態における器具本体の前面板及び後面板の摺動軸の取付部分の分解図。
【図７】本発明の実施の形態における器具本体の後面板に摺動軸を取り付けた状態を示す一部切欠側面図。
【符号の説明】
【００３３】
１１…側面板、１２…前面板、１３…後面板、１４…ソケット、１５…リフレクター、１６…レンズ、１７…可動台、１８…摺動軸、１９…摺動ハンドル、２０…緩衝材、２１…取付ネジ、２２…位置決め部材、２３…筒状緩衝材、２４…光源、２５、２６…貫通孔、２７…雌ネジ部、２８、２９…軸受孔
【図１】
2007179895.tif 000003
【図２】
2007179895.tif 000004
【図３】
2007179895.tif 000005
【図４】
2007179895.tif 000006
【図５】
2007179895.tif 000007
【図６】
2007179895.tif 000008
【図７】
2007179895.tif 000009